【事件の表示】
　特願２００２−２１９５３７「電気接続箱」拒絶査定不服審判事件〔平成１６年　２月２６日出願公開、特開２００４−　６４８８０〕について、次のとおり審決する。
【結　論】
　本件審判の請求は、成り立たない。
【理　由】
第１　手続の経緯　 
　本願は，平成１４年７月２９日に特許出願されたものであって，平成１９年５月１６日付けで拒絶査定がなされ，これに対し，同年６月２１日に拒絶査定不服審判請求がなされるとともに，同年７月１３日付けにて手続補正（以下，「本件補正」という。）がなされたものである。　 
　　 
第２　本件補正についての補正の却下の決定　 
［補正の却下の決定の結論］　 
　平成１９年７月１３日付け手続補正を却下する。　 
　　 
［理由］　 
１　補正後の本願発明　 
　本件補正により，特許請求の範囲の請求項１は，特許請求の範囲の減縮を目的として，　 
「【請求項１】　カバーの内面側と接続箱本体の外面側とのいずれか一方に一対のガイドレール溝を、他方に該各ガイドレール溝に案内される一対のガイドレールを、それぞれ設け、この各ガイドレールを前記各ガイドレール溝に沿って移動することで前記接続箱本体が前記カバー内に挿入・引き出し自在に設けられた電気接続箱において、
　前記各ガイドレール溝は、垂直方向に延びるストレート溝部と、その入口側が前記各ガイドレールの幅に対して広く、且つ、入口に向かうに従って徐々に幅広になる円弧状のアール溝部とを備えていることを特徴とする電気接続箱。」　 
と補正された。　 
　そこで，本願の補正後の上記請求項１に係る発明（以下，「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）否かについて，以下に検討する。　 
　　 
２　引用刊行物の記載事項　 
　原査定の拒絶の理由において引用された刊行物である特開２０００−９５１３３号公報（以下，「引用例１」という。）には，「電気接続箱」に関して，次の事項が記載されている。　 
　　 
（１−イ）　 
「【００１５】本実施形態の電気接続箱４１は、図１に示したように、ジャンクションボックスやヒューズボックス等の接続箱本体５０と、この接続箱本体５０の底面を覆う防水カバー４５とで構成されている。前記接続箱本体５０は、例えばヒューズやリレーなどの回路部品を嵌合装着する部品装着部５２と、ワイヤハーネス等の電線８０がコネクタ接続される電線接続部５４とが底面に配置されている。
【００１６】防水カバー４５は、図１乃至図３に示したように、カバー本体６０とカバー側壁部７１とから構成されており、前記接続箱本体５０の底面を覆うと共に、前記電線接続部５４にコネクタ接続されたワイヤハーネスの電線８０を所定向きに設定された電線引出し部６２から引き出すための電線収容空間４７を前記接続箱本体５０の底面との間に画成する。
【００１７】前記カバー本体６０は、前記電線引出し部６２と、前記接続箱本体５０を底面に沿ってスライド可能に係合するスライド係合部６４と、該スライド係合部６４によるスライド方向に対向する一側面に設けた切欠き開口６６と、車体へ固定するためのブラケット６８ａ，６８ｂとを、耐熱性絶縁樹脂材料により一体成形したものである。
【００１８】前記カバー側壁部７１は、前記接続箱本体５０の一側縁に垂設状態に装備されており、当該接続箱本体５０に装備したスライドレール部７３を前記カバー本体６０のスライド係合部６４に嵌合させ、接続箱本体５０を前記カバー本体６０内にスライド収容させた際に、前記切欠き開口６６を閉塞する構成である。前記接続箱本体５０が前記カバー本体６０にスライド収容され、前記カバー側壁部７１が切欠き開口６６を閉塞した状態とされると、カバー側壁部７１の両側縁に装備した係止突起７９が前記カバー本体６０の外側面の対応位置に装備されているロックアーム６９に係止され、接続箱本体５０がカバー本体６０に結合固定された状態になる。」　 
　　 
（１−ロ）　 
「【００２２】即ち、上記実施形態の電気接続箱４１では、図４及び図５に矢印（Ｃ）で示したように、接続箱本体５０は当該接続箱本体５０の底面に沿うスライド操作で防水カバー４５のカバー本体６０から着脱可能とされており、・・・。」　 
　
（１−ハ）　 
　第２図には，一対のスライドレール部７３が接続箱本体５０の外面側に装備され，一対のスライド係合部６４がカバー本体６０内面側に形成されており，当該スライド係合部６４がストレート溝であることが記載されている。
　
　これらの記載事項（１−イ）〜（１−ハ）を総合すると，引用例１には，以下の発明が記載されていると認められる。　 
　　 
「接続箱本体５０の外面側に装備した一対のスライドレール部７３を，カバー本体６０の内面側に形成した一対のストレート溝であるスライド係合部６４に嵌合させ、前記接続箱本体５０が前記カバー本体６０にスライド収容され、当該接続箱本体５０の底面に沿うスライド操作でカバー本体６０から着脱可能とされている電気接続箱４１。」（以下，「引用発明」という。）　 
　　 
　原査定の拒絶の理由において引用された刊行物である特開平１１−３５５９３５号公報（以下，「引用例２」という。）には，「電気接続箱」に関して，図面と共に次の事項が記載されている。　 
　
（２−イ）　 
「【００１５】上記構成の第１実施形態における電気接続箱１１においては、先ず図１に示したように、フューズ、リレー等の電気部品１２が装着された本体１３がロアカバー１４の上方から内壁部１５に案内されて嵌入されると、・・・。」
　 
３　対比・判断　 
　引用発明と本願補正発明とを対比すると，その構造・機能からみて，引用発明の「スライドレール部７３」，「スライド係合部６４」，「カバー本体６０」は，それぞれ，本願補正発明の「ガイドレール」，「ガイドレール溝」，「カバー」に相当することが明らかである。　 
　そして，引用発明の「スライド操作で」「着脱可能」が，本願補正発明の「挿入・引き出し自在」に相当するから，引用発明の「一対のスライドレール部７３を」「一対の」「スライド係合部６４に嵌合させ、前記接続箱本体５０が前記カバー本体６０にスライド収容され、当該接続箱本体５０の」「スライド操作でカバー本体６０から着脱可能とされている」は，本願補正発明の「各ガイドレールを前記各ガイドレール溝に沿って移動することで前記接続箱本体が前記カバー内に挿入・引き出し自在に設けられた」に相当するといえる。
　また，引用発明の「一対のストレート溝であるスライド係合部６４」と，本願補正発明の「各ガイドレール溝は、垂直方向に延びるストレート溝部と、その入口側が前記各ガイドレールの幅に対して広く、且つ、入口に向かうに従って徐々に幅広になる円弧状のアール溝部とを備えている」とは，「各ガイドレール溝は、ストレート溝部を備えている」点で共通する。
　そうすると，両者は，　 
（一致点）  
「カバーの内面側に一対のガイドレール溝を、接続箱本体の外面側にガイドレール溝に案内される一対のガイドレールを、それぞれ設け、
この各ガイドレールを前記各ガイドレール溝に沿って移動することで前記接続箱本体が前記カバー内に挿入・引き出し自在に設けられた電気接続箱において、
各ガイドレール溝は、ストレート溝部を備えている電気接続箱。」　 
である点で一致し，以下の点で相違するといえる。　 
　　 
（相違点１）　 
「ストレート溝部」の延びる方向について，本願補正発明では「垂直方向」であるのに対し，引用発明では「接続箱本体５０の底面に沿うスライド操作」に対応した方向である点。
　　 
（相違点２）　 
「ガイドレール溝」の入口側について，本願補正発明では「各ガイドレールの幅に対して広く、且つ、入口に向かうに従って徐々に幅広になる円弧状のアール溝部」であるのに対し，引用発明では「ストレート溝部」である点。　 
　　 
　そこで，相違点１について検討するに，　 
「ストレート溝部」の延びる方向は，接続箱本体をカバー内に挿入する方向であることは明らかであり，接続箱本体をカバー内に上下方向に挿入する電気接続箱は引用例２に記載されており，本願明細書に「【００１５】・・・垂直方向（上下方向）に延びているストレート溝部・・・」と記載されているように上下方向は垂直方向であるから，結局，接続箱本体をカバー内に垂直方向に挿入する電気接続箱は引用例２に記載されている。
　してみると，引用発明において，引用例２記載の事項を適用して，相違点１における本願補正発明の構成とすることは，当業者が容易に想到し得ることといえる。　 
　　 
　つぎに，相違点２について検討するに，　 
　「電気接続箱」において，「その入口側が前記各ガイドレールの幅に対して広く、且つ、入口に向かうに従って徐々に幅広になるガイドレール溝」は，本願出願前周知の事項であるといえる。例えば，原査定の拒絶の理由において引用された特開平１０−１００８１４号公報には「【００１２】・・・前記水平なガイド溝１５の入口にはテーパ状に拡幅した挿入案内部２１が形成されている。」と記載されている。
　また，本願出願前に頒布された刊行物である実願平１−２７８５３号（実開平２−１１８９８８号）のマイクロフィルムには「第３図に示すガイドレール１０は，欠如部１４を形成した上側の凸状先端１１ａ，及び下側の凸状１２の先端１２ａを曲面にして挿入口を広くし，ＰＣＢ１８の挿入をより容易に行えるようにしたものである。」（３頁１９行〜４頁３行）と記載されているように，「円弧状のアール溝部を備える」ことも，種々の技術分野において周知である。
　してみると，引用発明において，上記周知の事項を適用することにより，相違点２における本願補正発明の構成とすることは，何ら困難性が存在せず，当業者が容易に想到し得る事項であるというべきである。　 
　　 
　そして，本願明細書に記載された本願補正発明の効果も，当業者であれば，引用例１，２記載の事項および上記周知の事項から予測し得る範囲のものに過ぎず，格別顕著なものとはいえない。　 
　
　なお，審判請求人は，審尋に対する回答書において，「本願発明の『カバー内で接続箱本体を方向変更させるために回動させる』点，及び『カバー内で接続箱本体の向きを変えるために，一対のガイドレール溝に円弧状のアール溝部を備える』点は，前記引用文献２〜４から当業者が容易に想起し得るものではなく，また，ロック部の入口付近にアール部を備えた前記引用文献２においても，アール部の機能が本願発明のものとは全く異なるものであります。」と主張するが，本願補正発明では，「一対のガイドレール溝に円弧状のアール溝部を備えている」との特定のみであって，アール溝部の大きさ等を何ら限定していないのであるから，挿入を容易に行えるようにした前記周知例のものとに格別顕著な差異はない。
　そうすると，前記請求人の主張は，特許請求の範囲の記載に基づかないものであって，採用できない。
　　 
　したがって，本願補正発明は，引用発明，引用例２記載の事項および周知の事項に基いて当業者が容易に発明をすることができたものであるから，特許法第２９条第２項の規定により，特許出願の際に独立して特許を受けることができないものである。　 
　　 
４　まとめ　 
　以上のとおりであるから，本件補正は，平成１８年法律第５５号改正附則第３条第１項によりなお従前の例によるとされる同法による改正前の特許法第１７条の２第５項において準用する同法第１２６条第５項の規定に違反するので，特許法第１５９条第１項の規定において読み替えて準用する同法第５３条第１項の規定により，却下すべきものである。　 
　　 
第３　本願発明について　 
１　本願発明　 
　本件補正は上記のとおり却下されることとなったので，本願の請求項１に係る発明は，平成１８年１１月１４日付け手続補正により補正された特許請求の範囲の請求項１に記載された事項により特定されるものであると認められ，その請求項１は次のとおりである。（以下，「本願発明」という。）　 
　　 
「【請求項１】　カバーの内面側と接続箱本体の外面側とのいずれか一方にガイドレール溝を、他方に該ガイドレール溝に案内されるガイドレールを、それぞれ設け、このガイドレールを前記ガイドレール溝に沿って移動することで前記接続箱本体が前記カバー内に挿入・引き出し自在に設けられた電気接続箱において、
　前記ガイドレール溝は、その入口側が前記ガイドレールの幅より広い幅広溝部にて形成され、この幅広溝部は、入口に向かうに従って徐々に拡がる円弧状のアール溝部であることを特徴とする電気接続箱。」　 
　　 
２　引用刊行物の記載事項　 
　原査定の拒絶の理由に引用した引用例１，２記載の事項は，前記「第２［理由］２　引用刊行物の記載事項」に記載したとおりである。　 
　　 
３　対比・判断　 
　本願発明は，本願補正発明において「一対のガイドレール」と「一対のガイドレール溝」から「一対の」との限定を解除し，それに伴って，「各ガイドレール」と「各ガイドレール溝」から「各」を削除すると共に，「ガイドレール溝は、垂直方向に延びるストレート溝部と、その入口側が前記各ガイドレールの幅に対して広く、且つ、入口に向かうに従って徐々に幅広になる円弧状のアール溝部とを備えている」とあるところを，「ガイドレール溝は、その入口側が前記ガイドレールの幅より広い幅広溝部にて形成され、この幅広溝部は、入口に向かうに従って徐々に拡がる円弧状のアール溝部である」としたものに相当する。　 
　そうすると，本願発明の構成要件を全て含み，更に他の要件を付加したものに相当する本願補正発明が前記「第２［理由］３　対比・判断」にて述べたとおり，引用発明，引用例２記載の事項および周知の事項に基づいて，当業者が容易に発明をすることができたものであるから，本願発明も，同様の理由により，引用発明，引用例２記載の事項および周知の事項に基いて当業者が容易に発明をすることができたものであるというべきである。　 
　　 
第４　むすび　 
　以上のとおり，本願発明は，特許法第２９条第２項の規定により特許を受けることができない。 
　そうすると，他の請求項について言及するまでもなく，本願は，拒絶すべきものである。　 
　よって，結論のとおり審決する。